(57)【要約】  【課題】密閉容器内に冷凍機油とともに運ばれる異物を捕捉して、摺動部に異物が入り込みことを防止し、信頼性が高い密閉型圧縮機を提供する。  【解決手段】上容器と下容器１０２を嵌合させて全周溶接して密封し、下容器１０２の少なくとも一部が略球形形状である底部１０４を備えるとともに、底部１０４の側壁方向から底部方向に延出した延出溝１４０を設けることにより、冷凍機油中の異物が延出溝１４０に溜まり、給油管から冷凍機油とともに吸い込まれることがなく、信頼性が高い密閉型圧縮機を提供することができる。【選択図】図２
2010084585.tif 000002
【特許請求の範囲】
【請求項１】
密閉容器内に冷凍機油を貯溜するとともに、冷媒を圧縮する圧縮要素と前記圧縮要素を駆動する電動要素とからなる電動圧縮要素を収納し、前記密閉容器は上容器と下容器を嵌合させて全周溶接して密封し、前記下容器の少なくとも一部が略球形形状である底部を備えるとともに、前記底部の側壁方向から底部方向に延出した延出溝を設けた密閉型圧縮機。
【請求項２】
電動圧縮要素の回転によって撹拌された冷凍機油の一部を、前記冷凍機油の撹拌を利用して下容器の側壁方向から底部方向に導くように形成された請求項１に記載の密閉型圧縮機。
【請求項３】
延出溝は、螺旋状に形成された請求項１または２に記載の密閉型圧縮機。
【請求項４】
底部の近傍に環状溝を備え、延出溝は底部方向の端部が前記環状溝に連通した請求項１から３のいずれか一項に記載の密閉型圧縮機。
【請求項５】
密閉容器の底部に磁石を配設した請求項１から４のいずれか一項に記載の密閉型圧縮機。
【請求項６】
下容器を押し出し成型した際に、同時に延出溝または環状溝を成型したことを特徴とした請求項１から５のいずれか一項に記載の密閉型圧縮機。
【発明の詳細な説明】
【技術分野】
【０００１】
本発明は冷蔵庫等に使用される密閉型圧縮機の摺動部への異物混入防止に関するものである。
【背景技術】
【０００２】
従来、この種の密閉型圧縮機は、摺動部へ異物が進入するのを防ぐため給油管に異物を溜める溝を備えたものがある（例えば、特許文献１参照）。
【０００３】
以下、図面を参照しながら上記従来の密閉型圧縮機を説明する。
【０００４】
図３は、特許文献１に記載された従来の密閉型圧縮機の要部拡大図である。
【０００５】
図３おいて、密閉容器１内には、電動要素２とこの電動要素２により駆動される圧縮要素３とが複数のスプリング（図示せず）によって弾性的に保持され、底部に、冷凍機油５を貯留している。
【０００６】
圧縮要素３は、圧縮機構部１０を駆動するクランクシャフト１１と、クランクシャフト１１の下端に配置された給油管１２とを備えている。クランクシャフト１１は内部に給油管１２を保持する穴１３と、冷凍機油５を圧縮機構部へ供給するための給油穴１４を備えている。
【０００７】
電動要素２は、圧縮要素３に固定された固定子２１とクランクシャフト１１に焼嵌め等で固定された回転子２２から構成されている。
【０００８】
給油管１２は、一端が穴１３に圧入等で固定されており、他端が冷凍機油５中に開口している。給油管１２の中間部には内部に溝（図示せず）を形成した環状凹部１５を形成している。
【０００９】
以上のように構成された圧縮機について以下にその動作を説明する。
【００１０】
電動要素２に通電されると、回転子２２は回転しこれに伴ってクランクシャフト１１が回転し、圧縮機構部１０が所定の圧縮動作を行う。
【００１１】
クランクシャフト１１の回転に伴い給油管１２が回転することで、冷凍機油５は、遠心力によって給油管１２の冷凍機油５中の開口部から穴１３、給油穴１４を通り圧縮機構部１０の各摺動部へ給油され、潤滑と各部の冷却を行う。
【００１２】
ここで、給油管１２の環状凹部１５の内部に設けられた溝（図示せず）には冷凍機油５中に含まれる異物が遠心力により溜まり、圧縮機構部１０へは異物を含まない冷凍機油５を供給することができる。
【特許文献１】特公平７−９２０５６号公報
【発明の開示】
【発明が解決しようとする課題】
【００１３】
しかしながら上記従来の構成では、給油管１２の内部まで異物が入り込むため環状凹部１５の溝だけでは異物を取りきれず、圧縮機構部１０にまで異物が侵入することにより摺動部に異物が入り込み最悪時には起動できなくなるという課題を有していた。
【００１４】
本発明は、上記従来の課題を解決するもので、密閉容器底部に異物溜めを備えることにより信頼性が高い密閉型圧縮機を提供することを目的とする。
【課題を解決するための手段】
【００１５】
上記従来の課題を解決するために本発明の密閉型圧縮機は、密閉容器の少なくとも一部が略球形形状である底部を備えるとともに、底部の側壁方向から底部方向に延出した延出溝を有することで、冷凍機油中の異物が延出溝に溜まり給油管から冷凍機油とともに吸い込まれることがないという作用を有する。
【発明の効果】
【００１６】
本発明の密閉型圧縮機は、密閉容器の少なくとも一部が略球形形状である底部を備えるとともに、底部の側壁方向から底部方向に延出した延出溝を有することで冷凍機油中の異物が給油管から吸い込まれることがなく、信頼性の高い密閉型圧縮機を提供することができる。
【発明を実施するための最良の形態】
【００１７】
請求項１に記載の発明は、密閉容器内に冷凍機油を貯溜するとともに、冷媒を圧縮する圧縮要素と前記圧縮要素を駆動する電動要素とからなる電動圧縮要素を収納し、前記密閉容器は上容器と下容器を嵌合させて全周溶接して密封し、前記下容器の少なくとも一部が略球形形状である底部を備えるとともに、前記底部の側壁方向から底部方向に延出した延出溝を設けることにより冷凍機油中の異物が延出溝に溜まり給油管から冷凍機油とともに吸い込まれることがなく、信頼性が高い密閉型圧縮機を提供することができる。
【００１８】
請求項２に記載の発明は、請求項１に記載の発明において、延出溝を電動圧縮要素の回転によって撹拌された冷凍機油の一部が前記冷凍機油の撹拌を利用して下容器の側壁方向から底部方向に導くように形成することにより、冷凍機油中の異物を延出溝に溜まりやすくすることで、請求項１に記載の発明の効果に加えてさらに、信頼性が高い密閉型圧縮機を提供することができる。
【００１９】
請求項３に記載の発明は、請求項１または２に記載の発明において、延出溝を螺旋状に形成することにより、冷凍機油中の異物を延出溝に溜まりやすくすることで、請求項１または２に記載の発明の効果に加えてさらに、信頼性が高い密閉型圧縮機を提供することができる。
【００２０】
請求項４に記載の発明は、請求項１から３のいずれか一項に記載の発明において、密閉容器底部の近傍に環状溝を備え、延出溝は底部方向の端部が前記環状溝に連通することにより、冷凍機油中の異物を延出溝から環状溝に溜まりやすくすることで、請求項１から３のいずれか一項に記載の発明の効果に加えてさらに、信頼性が高い密閉型圧縮機を提供することができる。
【００２１】
請求項５に記載の発明は、請求項１から４のいずれか一項に記載の発明において、密閉容器の底部に磁石を配設することで、延出溝に溜まった冷凍機油中の鉄系異物を吸着させることで、請求項１から４のいずれか一項に記載の発明の効果に加えてさらに、信頼性が高い密閉型圧縮機を提供することができる。
【００２２】
請求項６に記載の発明は、請求項１から５のいずれか一項に記載の発明において、下容器を押し出し成型した際に、同時に延出溝または環状溝を成型することで、請求項１から５のいずれか一項に記載の発明の効果に加えて、安価な密閉型圧縮機を提供することができる。
【００２３】
以下、本発明の実施の形態について、図面を参照しながら説明する。尚、この実施の形態によってこの発明が限定されるものではない。
【００２４】
（実施の形態１）
図１は、本発明の実施の形態１における密閉型圧縮機の縦断面図、図２は同実施の形態における密閉型圧縮機の要部斜視図である。
【００２５】
図１、図２において、上容器１０１と、略球形形状である底部１０４を備えた下容器１０２を嵌合させて全周溶接にて密封した密閉容器１０３内には、電動要素１０５とこの電動要素１０５により駆動される圧縮要素１０７とからなる電動圧縮要素１０８が複数のスプリング（図示せず）によって弾性的に保持され、底部１０４には冷凍機油１０９を貯留している。
【００２６】
圧縮要素１０７は、シリンダ１１０と軸受け部１１３を形成するブロック１１１とシリンダ１１０内に往復自在に嵌入されたピストン１１２と軸受け部１１３に軸支され外周に螺旋溝１１４を有する主軸部１１５及びその下方に形成された偏芯部１１６からなるシャフト１１７と偏芯部１１６とピストン１１２を連結するコンロッド１２４と偏芯部１１６下端に配置された給油管１２２とを備えている。
【００２７】
電動要素１０５は、ブロック１１１の上方に固定され、巻線１３０を施した固定子１３１と回転子１３２から構成されており、回転子１３２はシャフト１１７の主軸部１１５に焼嵌め等で固定されている。
【００２８】
給油管１２２は螺旋溝１１４に連通する偏芯部１１６に設けた給油穴（図示せず）に一端が圧入固定されており、下端開口部１２３が冷凍機油１０９中に開口している。
【００２９】
また、下容器１０２には複数の螺旋状の延出溝１４０と、下容器１０２の底部１０４近傍に螺旋状の延出溝１４０が形成されている。そして、螺旋状の延出溝１４０の下容器１０２の底部１０４側の端部が環状溝１４２に連絡している。
【００３０】
また、螺旋状の延出溝１４０の形状は、給油管１２２の回転により攪拌された冷凍機油１０９の一部を下容器１０２の側壁方向から底部１０４の方向に導く形状としており、具体的には、延出溝１４０の下容器１０２の底部１０４側の端部１４０ａが反対側の端部１４０ｂに対して冷凍機油１０９の回転方向に対して下流側になるように湾曲した形状となっている。
【００３１】
また、環状溝１４２の内周部近傍に、複数の磁石１４５を配設している。
【００３２】
以上のように構成された密閉型圧縮機について、以下その動作、作用を説明する。
【００３３】
電動要素１０５に通電されると、回転子１３２は回転しこれに伴ってシャフト１１７が回転し、偏芯部１１６の運動がコンロッド１２４を介してピストン１１２に伝わることでピストン１１２はシリンダ１１０内で往復運動を行い、圧縮要素１０７が所定の圧縮動作を行う。
【００３４】
シャフト１１７の回転に伴い給油管１２２が回転することで、冷凍機油１０９は、給油管１２２の遠心力によって給油管１２２の下端開口部１２３から螺旋溝１１４により各摺動部へ給油され、潤滑と各部の冷却を行う。
【００３５】
ここで、給油管１２２の回転により密閉容器１０３内で冷凍機油１０９に回転流れが発生し、螺旋状の延出溝１４０においては、延出溝１４０の端部１４０ｂから密閉容器１０３の底部１０４側の端部１４０ａ方向にも流れが発生する。
【００３６】
冷凍機油１０９中に異物が含まれていた場合、異物は螺旋状の延出溝１４０により下容器１０２の底部１０４の方向に運ばれ、環状溝１４２内に滞留する。
【００３７】
この作用により、異物が給油管１２２から吸い込まれ、冷凍機油１０９と共に各摺動部に運ばれることがなく、異物が摺動部にはさまって起動できなくなるといった不良を防ぐことができ、高い信頼性を実現できる。
【００３８】
さらに、環状溝１４２内に導かれた異物のうち、含まれる割合が多く摺動部に導かれた際に不良となる可能性が高い鉄系の異物は、環状溝１４２の内周部近傍に配設された複数の磁石１４５に吸着されて捕捉される。
【００３９】
そのため、鉄系の異物が再び冷凍機油１０９とともに密閉容器１０３内を運ばれることはなく、摺動部にはさまって起動できなくなるといった不良を防ぐことができる。
【００４０】
なお、本実施の形態においては、環状溝１４２の内周部近傍に複数の磁石１４５を配設したが、環状溝１４２の内部や延出溝１４０の近傍など密閉容器１０３の底部１０４に配設しても、底部１０４に導かれた鉄系の異物を捕捉することができる。
【００４１】
また、下容器１０２を押し出し成型する際に、底部１０４の延出溝１４０や環状溝１４２を同時に成型することで、安価に下容器１０２を製作することができる。
【産業上の利用可能性】
【００４２】
以上のように本発明にかかる密閉型圧縮機は、螺旋状の延出溝と螺旋状の延出溝の端部が連通する環状溝を設けることで、冷凍機油中の異物を螺旋状の延出溝及び環状溝に滞留させることができるので摺動部に異物が入り込まないため、信頼性が高い密閉型圧縮機を提供することができるので、自販機、冷凍ショーケース、除湿機などの用途にも適用できる。
【図面の簡単な説明】
【００４３】
【図１】本発明の実施の形態１における密閉型圧縮機の縦断面図
【図２】同実施の形態における密閉型圧縮機の要部斜視図
【図３】従来の密閉型圧縮機の要部拡大図
【符号の説明】
【００４４】
１０１  上容器
１０２  下容器
１０３  密閉容器
１０４  底部
１０５  電動要素
１０６  冷媒
１０７  圧縮要素
１０８  電動圧縮要素
１０９  冷凍機油
１４０  延出溝
１４２  環状溝
１４５  磁石
【図１】
2010084585.tif 000003
【図３】
2010084585.tif 000004
【図２】
2010084585.tif 000005